(57)【要約】【課題】コンパクトな発光面および十分な光出力を取得できる照明器具を提供する。【解決手段】照明器具１０は、中央部に設けられる多角錐形状の多角錐反射板２９と、多角錐反射板２９に対応して多角錐反射板２９を囲む外郭２２と、外郭２２において、多角錐反射板２９に対向する位置に配置されるＬＥＤ光源２８とを有するＬＥＤ光源ユニット２１を備える。【選択図】図２
2012226943.tif 000002
【特許請求の範囲】
【請求項１】
中央部に設けられる多角錐形状の多角錐反射板と、
前記多角錐反射板に対応して前記多角錐反射板を囲む外郭と、
前記外郭において、前記多角錐反射板に対向する位置に配置されるＬＥＤ光源とを有するＬＥＤ光源ユニットを備える照明器具。
【請求項２】
請求項１に記載の照明器具において、
前記ＬＥＤ光源ユニットは、前記多角錐反射板に有する反射面に集光して照射するレンズおよび補助反射板を備える照明器具。
【請求項３】
請求項１または請求項２に記載の照明器具において、
前記多角錐反射板は、頂部に開口部を有し、前記ＬＥＤ光源が前記開口部の内側に配置される照明器具。
【請求項４】
請求項１ないし請求項３のうちのいずれか１項に記載の照明器具において、
前記ＬＥＤ光源ユニットを前後に可動させる可動部を備える照明器具。
【請求項５】
請求項１ないし請求項４のうちのいずれか１項に記載の照明器具において、
前記外郭は、前記ＬＥＤ光源の前側の中央部に発光孔を有する集光部材を備える照明器具。
【発明の詳細な説明】
【技術分野】
【０００１】
本発明は、例えば舞台照明やテレビスタジオ照明用のスポットライト等に適用される照明器具に関する。
【背景技術】
【０００２】
従来より、所定位置に光ビームが向くように複数個のＬＥＤが取り付けられたＬＥＤ配列部と、複数のＬＥＤから射出された光ビームを入側開口部から導入し、出側開口部から射出する導光管とを備える照明器具が知られている（例えば、特許文献１参照）。
特許文献１は、光拡散面により光の拡散が生じて、配光斑を防止できる。
【先行技術文献】
【特許文献】
【０００３】
【特許文献１】特許第４３２１７６８号公報（図１、請求項１）
【発明の概要】
【発明が解決しようとする課題】
【０００４】
通常、スポットライト等に適用される照明器具は、設置される空間が大きいために、一般の照明に比較して、例えば１ｋＷや２ｋＷの大容量のハロゲンランプが用いられる。
このような従来の照明器具においては、光の広がり程度を調整することが要求される。
そのため、このような従来の照明器具においては、コンパクトなハロゲンランプを、レンズに対して前後に可動としている。
【０００５】
ところで、近年、ハロゲンランプに代わる光源として照明器具に適用されるＬＥＤは、高効率化および高出力化が図られている。
特許文献１は、ＬＥＤを光源とすることにより、舞台やテレビスタジオにおいて、要求されるコンパクトな発光面および光出力を得ようとしている。
しかし、特許文献１は、発光面および光出力について改善の余地を有する。
【０００６】
本発明は、前述した課題を解決するためになされたものであり、その目的は、コンパクトな発光面および十分な光出力を取得できる照明器具を提供することにある。
【課題を解決するための手段】
【０００７】
本発明に係る照明器具は、中央部に設けられる多角錐形状の多角錐反射板と、前記多角錐反射板に対応して前記多角錐反射板を囲む外郭と、前記外郭において、前記多角錐反射板に対向する位置に配置されるＬＥＤ光源とを有するＬＥＤ光源ユニットを備える。
【０００８】
本発明に係る照明器具は、前記ＬＥＤ光源ユニットは、前記多角錐反射板に有する反射面に集光して照射するレンズおよび補助反射板を備える。
【０００９】
本発明に係る照明器具は、前記多角錐反射板は、頂部に開口部を有し、前記ＬＥＤ光源が前記開口部の内側に配置される。
【００１０】
本発明に係る照明器具は、前記ＬＥＤ光源ユニットを前後に可動させる可動部を備える。
【００１１】
本発明に係る照明器具は、前記外郭は、前記ＬＥＤ光源の前側の中央部に発光孔を有する集光部材を備える。
【発明の効果】
【００１２】
本発明に係る照明器具によれば、コンパクトな発光面および十分な光出力を取得できるという効果を奏する。
【図面の簡単な説明】
【００１３】
【図１】本発明に係る一実施形態の照明器具の外観斜視図
【図２】本発明に係る一実施形態の照明器具の垂直断面図
【図３】本発明に係る一実施形態の照明器具のＬＥＤ光源ユニットの正面図
【図４】本発明に係る一実施形態の照明器具のＬＥＤ光源ユニットの外観斜視図
【図５】本発明に係る一実施形態の照明器具のＬＥＤ光源ユニットの透視外観斜視図
【図６】本発明に係る一実施形態の照明器具の集光部材を取り外した光源ユニットの外観斜視図
【図７】本発明に係る一実施形態の照明器具のＬＥＤ光源の断面図
【図８】本発明に係る一実施形態の照明器具の光学的な特性を説明する垂直断面図
【発明を実施するための形態】
【００１４】
以下、本発明に係る一実施形態の照明器具について図面を参照して説明する。
図１に示すように、本発明に係る一実施形態の照明器具１０は、前部ボディ１１と、側部ボディ１２と、後部ボディ１３と、ブラケット１４と、配線１５とを備える。
【００１５】
前部ボディ１１は、中央部に前部開口部１６を有し、側部ボディ１２の前端部に取り付けられている。
側部ボディ１２は、円筒形状に形成されており、中央部に照明器具１０の照射角度を変更させるためのブラケット１４が回動自在に取り付けられている。
ブラケット１４は、上端部に有する固定部１７が不図示の天井面等の設置場所に落下防止紐１８とともに取り付けられる。
後部ボディ１３は、側部ボディ１２の後端部に取り付けられている。
配線１５は、側部ボディ１２の一部から引き出されており、外部回路に接続される。
【００１６】
図２に示すように、照明器具１０は、側部ボディ１２の前端部であって、前部ボディ１１の前部開口部１６の後方に主レンズ１９が固定されている。
そして、照明器具１０は、可動部２０を介してＬＥＤ光源ユニット２１が側部ボディ１２の内部に取り付けられている。
可動部２０は、例えば電動で側部ボディ１２の軸方向にＬＥＤ光源ユニット２１を移動させることにより、主レンズ１９を通じた配光制御に用いられる。
【００１７】
次に、ＬＥＤ光源ユニット２１の詳細について説明する。
図３に示すように、ＬＥＤ光源ユニット２１は、正八角形の環状の角錐台形状に形成され、前方が大径であって、後方が小径の外郭２２を備える。
外郭２２は、底板（図５参照）２３と、８枚の側板２４とを有する。
【００１８】
図４に示すように、ＬＥＤ光源ユニット２１は、外郭２２の大径側に集光部材２５が接続される。
集光部材２５は、外郭２２の前後を反対にした正八角形の環状の角錐台形状に形成され、前方が小径であって、後方が大径であり、８枚の側板２６が外郭２２の側板２４に接続される。
集光部材２５は、前部の中央部に正八角形の発光孔２７を有する。
【００１９】
図５および図６に示すように、ＬＥＤ光源ユニット２１は、外郭２２の底板２３の内面と、８枚の側板２４の内面とに、複数のＬＥＤユニット２８が取り付けられる。
なお、外郭２２においてＬＥＤユニット２８に対応する外面に、放熱フィンを設けることもできる。そうすれば、ＬＥＤユニット２８の発熱を効率よく防止できる。
ＬＥＤ光源ユニット２１は、外郭２２の中央部に、正八角形の角錐台形状に形成された多角錐反射板２９を備える。
【００２０】
多角錐反射板２９は、集光部材２５と同様に、正八角形の環状の角錐台形状に形成され、前方が小径であって、後方が大径であり、８枚の側板３０を有し、頂部に正八角形の開口部３１を有する。
多角錐反射板２９は、８枚の側板３０の外面に反射面３２を有する。
多角錐反射板２９は、反射面３２の形状が、入射される光の強度分布などを配慮して、適切な平面や曲面の形状に選ばれる。
【００２１】
外郭２２の底板２３の内面に取り付けられたＬＥＤユニット２８は、多角錐反射板２９の開口部３１に対応して開口部３１の内側に配置される。
外郭２２の側板２４の内側に取り付けられたＬＥＤユニット２８は、多角錐反射板２９の側板３０の反射面３２に対応する。
【００２２】
図７に示すように、ＬＥＤユニット２８は、ＬＥＤ基板３３上にＬＥＤチップ３４が封止されており、ＬＥＤチップ３４の前方にレンズ３５および補助反射板３６を備える。
レンズ３５および補助反射板３６は、ＬＥＤチップ３４が発光した光を、対向する多角錐反射板２９の側板３０の反射面３２に集光させる。
【００２３】
このような照明器具１０において、集光部材２５は、内側に配置された多角錐反射板２９の反射面３２により反射された光を発光孔２７に集光するとともに、制御されていない余計な光をカットする。
そのため、発光孔２７は、照射面のハレーションを低減するために、所定の寸法および位置が配慮される。
発光孔２７は、多角錐反射板２９の開口部３１の軸線状に配置される。
【００２４】
次に、このような照明器具１０の光学的な特性について説明する。
図８に示すように、配線１５（図１参照）を通じてＬＥＤ基板３３に有する不図示のプリント回路に通電されることによりＬＥＤチップ３４が発光される。
【００２５】
外郭２２の底板２３の内面に取り付けられたＬＥＤユニット２８からの光成分は、多角錐反射板２９の開口部３１から前方に向けて出射される。
外郭２２の側板２４の内側に取り付けられたＬＥＤユニット２８からの光成分は、多角錐反射板２９の反射面３２において反射して集光部材２５の発光孔２７から前方に向けて出射される。
【００２６】
このとき、レンズ３５および補助反射板３６により、ＬＥＤチップ３４が発光した光が、多角錐反射板２９の側板３０の反射面３２に少ないロスで指向性を有して集光される。
従って、十分な光出力を取得できる。
そして、外郭２２の底板２３の内面に取り付けられたＬＥＤユニット２８からの光成分および外郭２２の側板２４の内側に取り付けられたＬＥＤユニット２８からの光成分は、発光孔２７に効率よく集光されて主レンズ１９に向けて進行されることになる。
【００２７】
以上、説明したように一実施形態の照明器具１０によれば、高出力が要求される舞台の照明やスタジオの照明において、コンパクトな発光面および十分な光出力を取得できる。
【００２８】
また、一実施形態の照明器具１０によれば、レンズ３５および補助反射板３６により、ＬＥＤチップ３４が発光した光が、多角錐反射板２９の側板３０の反射面３２に少ないロスで指向性を有して集光されるために、十分な光出力を取得できる。
【００２９】
そして、一実施形態の照明器具１０によれば、多角錐反射板２９が、頂部に開口部３１を有してＬＥＤユニット２８が開口部３１の内側に配置されるために、多角錐反射板２９の形状を有効的に活用できる。
【００３０】
さらに、一実施形態の照明器具１０によれば、可動部２０によりＬＥＤ光源ユニット２１が移動自在であるために、配向制御を簡単にできる。
【００３１】
加えて、一実施形態の照明器具１０によれば、外郭２２および集光部材２５に囲まれた位置にＬＥＤユニット２８が配置されて発光孔２７から取り出すことにより、ＬＥＤユニット２８からの光成分を無駄なく使用できる。
【００３２】
また、一実施形態の照明器具１０によれば、ＬＥＤユニット２８が分散されて配置されるために、発熱に対する温度上昇を低減できる。
【００３３】
またさらに、一実施形態の照明器具１０によれば、外郭２２においてＬＥＤユニット２８に対応する外面に、放熱フィン等の放熱手段を設けることにより、ＬＥＤユニット２８の発熱を効率よく防止できる。
【００３４】
そして、一実施形態の照明器具１０によれば、必要な光出力に応じて、ＬＥＤユニット２８の数等の組み合わせを適宜選択できるために、要求出力に容易に適合できる。
【００３５】
そしてさらに、一実施形態の照明器具１０によれば、ＬＥＤユニット２８の組み合わせが容易であるために、光の質の調整を容易にできる。
【００３６】
なお、本発明の照明器具において前部ボディ，側部ボディ，後部ボディ，ブラケット，配線等は、前述した一実施形態に限定されるものでなく、適宜な変形や改良等が可能である。
【符号の説明】
【００３７】
１０  照明器具
２０  可動部
２１  ＬＥＤ光源ユニット
２２  外郭
２７  発光孔
２８  ＬＥＤユニット（ＬＥＤ光源）
２９  多角錐反射板
３１  開口部
３２  反射面
３５  レンズ
３６  補助反射板
【図１】
2012226943.tif 000003
【図２】
2012226943.tif 000004
【図３】
2012226943.tif 000005
【図４】
2012226943.tif 000006
【図５】
2012226943.tif 000007
【図６】
2012226943.tif 000008
【図７】
2012226943.tif 000009
【図８】
2012226943.tif 000010